(57)【要約】【課題】切り花等を収容する容器の収容長さを容易に変化させる。【解決手段】容器本体１０と上枠体２０とを備えた容器１であって、前記容器本体１０が上面開口部１１を有し、前記上枠体２０が上面開口部２１および下面開口部２５を有し、前記上枠体２０と前記容器本体１０とを、該上枠体２０の下面開口部２５と該容器本体１０の上面開口部１１とが連通状態で連接可能に構成する。【選択図】  図１
2010064796.tif 000002
【特許請求の範囲】
【請求項１】
容器本体と上枠体とを備えた容器であって、前記容器本体が上面開口部を有し、前記上枠体が上面開口部および下面開口部を有し、前記上枠体と前記容器本体とを、該上枠体の下面開口部と該容器本体の上面開口部とが連通状態で連接可能に構成したことを特徴とする容器。
【発明の詳細な説明】
【技術分野】
【０００１】
本願発明は、切り花等の容器に関し、特に容器を切り花等の長さが異なる場合に対応できるようにする技術に関するものである。
【背景技術】
【０００２】
従来から、切り花等を輸送する場合に、切り花等を入れる容器が用いられている。この容器は、ほとんどの場合バケツ状のものである。このバケツ状の容器の底に水（栄養剤を含む。）を入れた状態で、切り花等の束をこの容器に入れて輸送することになる。
【発明の概要】
【発明が解決しようとする課題】
【０００３】
しかし、上記従来のバケツ状の容器では、切り花等の長さが異なる場合に、切り花等を収容するのに不便であった。即ち、比較的短い切り花等の長さに合わせた容器は、比較的長い切り花等を収容するのに不適当であり、逆に比較的長い切り花等の長さに合わせた容器は、比較的短い切り花等を収容するのに不適当であった。
そこで、本願発明が解決しようとする課題は、切り花等を収容する容器の収容長さを容易に変化させることができるようにすることにある。
さらに、本願発明が解決しようとする課題は、上述のように容器の長さを長くした場合においても、その容器の保管時の長さを使用時の長さより短くすることにある。
【課題を解決するための手段】
【０００４】
上記課題を解決するため、本願の第１の発明は、請求項１記載のとおりである。
上記の発明により、容器本体のみを使用することができるとともに、上面開口部および下面開口部を有する上枠体の下部と容器本体の上面開口部とを連接したときには、前記上枠体と前記容器本体との組合わせにより、容器本体のみを使用したときよりも長い切り花等を収容することができる。
【発明の効果】
【０００５】
本願の発明に係る容器により、上面開口部および下面開口部を有する上枠体の下部が容器本体の上面開口部から前記容器本体内に連接したときには、前記上枠体と前記容器本体との組合わせにより、容器本体のみを使用したときよりも長い切り花等を収容することができる。このため、容器本体のみを使用して比較的長さが短い切り花等を収容することができるとともに、上枠体と容器本体を上記のように組み合わせることにより、比較的長さが長い切り花等を収容することができる。この結果、異なる長さの切り花等を容易に収容することができる。
【図面の簡単な説明】
【０００６】
【図１】本願発明の実施の形態に係る容器を示す斜視図である。
【図２】図１の容器の平面を図１より拡大して示す平面図である。
【図３】図２のIII−III断面を示す断面図である。
【図４】図１の容器の上枠体の正面を示す正面図である。
【図５】図１の容器の容器本体の正面を示す正面図である。
【図６】図１の容器の容器本体の平面を図１より拡大して示す平面図である。
【図７】図４の上枠体を上下逆にして図５の容器本体に被せた状態を図４および図５より拡大して示す正面図である。
【図８】図１の容器の上枠体に表示板を取り付けた状態を図１より拡大して示す正面図である。
【図９】図８のIX−IX断面を示す断面図である。
【図１０】図１の容器の容器本体に表示板を取り付けた状態を図１より拡大して示す正面図である。
【図１１】図１０のXI−XI断面を示す断面図である。
【図１２】図１２は、図１の容器本体を積み重ねた状態の断面を図１より拡大して示す断面図である。
【図１３】図１３は、図１の上枠体を積み重ねた状態の断面を図１より拡大して示す断面図である。
【図１４】図１４は、図１の容器の容器本体の変形例を示す斜視図である。
【発明を実施するための形態】
【０００７】
以下、本願発明における実施の形態を図面に基づいて説明する。図１は、本願発明の実施の形態に係る容器１の斜視図である。図１において、容器１は容器本体１０と上枠体２０とを備えている。
容器本体１０は上面開口部１１（後述する図６参照）を有する容器状のものである。容器本体１０の側壁部１２を取り巻く外枠部１４が形成されている。４つの開口部１４ａ、１４ｂ、１４ｃ、１４ｄ（図６参照）が外枠部１４の側面に形成されている。折り曲げ部１４ｇが外枠部１４の下端部１４ｆに連設されている。
【０００８】
上枠体２０は、上面開口部２１および下面開口部２５（後述する図２参照）を有するほぼ四角形筒状のものであり、上側側壁部２２および下側側壁部２４を備えている。段差部２３が上側側壁部２２と下側側壁部２４との間に形成され、下側側壁部２４を容器本体１０の側壁部１２の内側に挿入した状態では、段差部２３が容器本体１０の側壁部１２の上端部１２ａ（後述する図３参照）で支えられている。
表示板３０（後述する図８参照）取り付け用の４つの開口部２２ａ、２２ｂ、２２ｃ、２２ｄが上枠体２０の上側側壁部２２に形成されている（図２参照）。
上側側壁部２２の上端部２２ｅが上面開口部２１の縁となる。多数の四角形孔２２ｆが上端部２２ｅに形成されている。さらに、折り曲げ部２２ｇが上端部２２ｅに連設されている。
【０００９】
図２は、図１の容器１の平面を図１より拡大して示している。図２において、４つの開口部２４ａ、２４ｂ、２４ｃ、２４ｄが上枠体２０の下側側壁部２４に形成されている。
【００１０】
図３は、図２のIII−III断面を示す。図３において、外枠部１４の上端は側壁部１２の上端部１２ａに連設され、補強用の多数のリブ１４ｘが外枠部１４と側壁部１２との連設部分の近傍の外枠部１４と側壁部１２間を連結している。容器本体１０の底部１３が側壁部１２の下端を塞ぐように形成されている。すなわち、容器本体１０は、有底の容器として形成されている。
また、上枠体２０の下側側壁部２４が容器本体１０の側壁部１２の内面１２ｃに嵌合している。
【００１１】
図４は、図１の上枠体２０の正面を示している。図４において、上側側壁部２２の上下方向の長さ２２ｉは、下側側壁部２４の上下方向の長さ２４ｅよりも長く形成されている。
図５は、図１の容器本体１０の正面を示している。
【００１２】
図６は、図１の容器本体１０の平面を図１より拡大して示している。図６において、多数の四角形の孔１２ｂが容器本体１０の側壁部１２の上端部１２ａに形成されている。
多数のリブ１４ｈが外枠部１４の下端部１４ｆと折り曲げ部１４ｇとを連結するように形成されている。なお、リブ１４ｈと同様の図示しないリブが図１の上枠体２０の上側側壁部２２と折り曲げ部２２ｇとの間にも形成されている。前記各リブ（１４ｈ等）は補強用のものである。また、多数の四角形の孔１４ｉが外枠部１４の下端部１４ｆに形成されている。この孔１４ｉにより、たとえば下端部１４ｆと折り曲げ部１４ｇとの間に溜まった水を排出することができる。
【００１３】
図７は、図４の上枠体２０を上下逆にして図５の容器本体１０に被せた状態を図４および図５より拡大して示す正面図である。図７において、容器本体１０の外枠部１４が上枠体２０の上側側壁部２２の内面２２ｈに嵌合している。
図７に示す状態にて、容器１を保管する場合に、容器１の外形が最も小さくなる。なお、この状態の容器１を使用することもできる。
【００１４】
図８は、図１の容器１の上枠体２０に表示板３０を取り付けた状態の正面を図１より拡大して示している。図８において、表示板３０は、紙または合成樹脂板等である。一対の切込３１、３２が表示板３０の図示右端部に形成され、舌片３５が切込３１、３２により形成されている。同様に、一対の切込３３、３４が表示板３０の図示左端部に形成され、舌片３６が切込３３、３４により形成されている。さらに、舌片３７が表示板３０の上端に連設され、舌片３８が表示板３０の下端に連設されている。
容器１に収容される商品名（この場合、切り花「ポインセチア」）の表示４１、商品の生産者（産地）名（この場合、「○○農園」）の表示４２および商品の等級（この場合、「１級品」）の表示４３および商品の品名、生産者、等級、価格等のバーコード表示４４が表示板３０の表面３０ａに示されている。
【００１５】
表示板３０の舌片３５、３６が上枠体２０の上側側壁部２２の開口部２２ａから上側側壁部２２の内側に差し込まれ、表示板３０の上側の舌片３７が折り曲げ部２２ｇと上側側壁部２２との間に差し込まれているので、表示板３０が上枠体２０に着脱自在に取り付けられている。
【００１６】
図９は、図８のIX−IX断面を示している。図９において、表示板３０の裏面３０ｂが上側側壁部２２の外面に接触し、舌片３５が上側側壁部２２の内面側に差し込まれ、舌片３７が折り曲げ部２２ｇと上側側壁部２２との間に差し込まれていることが示されていている。
なお、開口部２２ａと同様にして、表示板３０を開口部２２ｂ、２２ｃ、２２ｄ（図２参照）に着脱自在に取付けることができる。
【００１７】
図１０は、表示板３０を容器本体１０に着脱自在に取り付けた状態を図１より拡大して示している。図１０において、表示板３０の左右の舌片３５、３６および上側の舌片３７が容器本体１０の外枠部１４の開口部１４ａから外枠部１４の内側に差し込まれ、表示板３０の下側の舌片３８が折り曲げ部１４ｇと外枠部１４との間に差し込まれているので、表示板３０が容器本体１０の外枠部１４に着脱自在に取り付けられている。
【００１８】
図１１は、図１０のXI−XI断面を示している。図１１において、表示板３０の裏面３０ｂが外枠部１４の外面に接触し、舌片３５、３７が外枠部１４の内面側に差し込まれ、舌片３８が折り曲げ部１４ｇと外枠部１４との間に差し込まれていることが示されている。
なお、開口部１４ａと同様にして、表示板３０を開口部１４ｂ、１４ｃ、１４ｄ（図６参照）に着脱自在に取付けることができる。
【００１９】
図１２は、図１の容器本体を積み重ねた状態の断面を図１より拡大して示している。図１２において、上側の容器本体１０の側壁部１２は、下側の容器本体１０の側壁部１２の内側に重ねられ、上側の容器本体１０の外枠部１４は、下側の容器本体１０の外枠部１４の外側に重ねられている。このため、複数の容器本体１０を積み重ねることが容易である。
【００２０】
図１３は、図１の上枠体２０を積み重ねた状態の断面を図１より拡大して示している。図１３において、上側の上枠体２０の上側側壁部２２は下側の上枠体２０の上側側壁部２２の内側に重ねられ、上側の上枠体２０の下側側壁部２４は下側の上枠体２０の下側側壁部２４の内側に重ねられている。このため、複数の上枠体２０を積み重ねることが容易である。
【００２１】
図１４は、容器本体１０の変形例を示している。図１４において、容器本体５０は、容器本体１０の変形例である。容器本体５０の側壁部５２の上端部５２ａは、上面開口部５１の縁である。多数の孔５２ｂが前記上端部５２ａに形成されている。外枠部５４の上端部は側壁部５２の上端部５２ａの一部分になっている。４つの開口部５４ａ、５４ｂ、５４ｃ、５４ｄが外枠部５４に形成されている。外枠部５４の下端部５４ｆに折り曲げ部５４ｇが連設されている。
【００２２】
一対の切欠５５ａ、５５ｂは、外枠部５４の開口部５４ａの縁の上端部に形成されている。同様に、一対の切欠５５ｃ、５５ｄは、外枠部５４の開口部５４ｂの縁の上端部に形成されている。なお、開口部５４ｃ（開口部５４ａの反対側の開口部）には、図示しない一対の切欠（切欠５５ａ、５５ｂに相当する。）が形成され、開口部５４ｄ（開口部５４ｂの反対側の開口部）には、図示しない一対の切欠（切欠５５ｃ、５５ｄに相当する。）が形成されている。これらの開口部（５４ａ等）の縁の上端部は、特許請求の範囲に記載されている「側壁部の上端部」（側壁部５２の上端部５２ａに相当する。）の一部分となる。
【００２３】
前記上端部５２ａのうち一対の切欠５５ａ、５５ｂの間の部分および一対の切欠５５ｃ、５５ｄの間の部分は、それぞれ係止部５５ｘ、５５ｙとなる。また、前記上端部５２ａのうち前記各図示しない一対の切欠の間の部分は、それぞれ図示しない係止部（係止部５５ｘ、５５ｙに相当する。）となる。
第１の輪ゴム６１が係止部５５ｘと開口部５４ｃ側の前記係止部（係止部５５ｘに相当する。）との間に掛け渡されている。同様に、第２の輪ゴム６２が係止部５５ｙと開口部５４ｄ側の前記係止部（係止部５５ｙに相当する。）との間に掛け渡されている。第１の輪ゴム６１と第２の輪ゴム６２が、上面開口部５１にて交差している。第１の輪ゴム６１と第２の輪ゴム６２とにより、上面開口部５１が９つの部分に分割される。
【００２４】
このため、たとえば第１の切り花の束７１を中央の分割された部分５１ａに差し込むことができる。その際、前記分割された部分５１ａが第１の切り花の束７１に対して狭いときは、第１および第２の輪ゴム６１、６２が二点鎖線で示すように変形して、前記分割された部分５１ａを広くすることができる。このため、第１の切り花の束７１を前記分割された部分５１ａから容器本体５０内に差し込んで固定することが容易になる。
【００２５】
同様に、たとえば、第２の切り花の束７２を分割された部分５１ｂに差し込み、第３の切り花の束７３を分割された部分５１ｃに差し込むことができる。さらに、上記各分割された部分（５１ａ等）のすべてに切り花の束等を差し込むことができる。
また、分割された部分５１ａにのみ、切り花の束７１等を差し込んだ場合には、この切り花の束７１等が上面開口部５１の中央部分に差し込まれることになり、差し込まれた切り花の束７１等を保護するとともに、容器本体５０の安定性がよくなる。
【００２６】
なお、上記実施の形態において、容器本体１０、５０および上枠体２０は、それぞれ樹脂成形により一体成形可能である。なお、容器本体１０、５０および上枠体２０は、それぞれ樹脂以外の材料（たとえば金属等）を使用したものでもよい。また、図１４の一対の切欠（５５ａ、５５ｂ等）および係止部（５５ｘ等）に相当するものは、上枠体２０に相当するものに形成可能である。また、上記輪ゴム６１、６２代わりに、弾性のない紐状体を使用してもよい。
【符号の説明】
【００２７】
１  容器
１０  容器１の容器本体
１１  容器本体１０の上面開口部
１２  容器本体１０の側壁部
１２ｃ  側壁部１２の内面
１４  容器本体１０の外枠部
１４ａ、１４ｂ、１４ｃ、１４ｄ  外枠部１４の開口部
２０  容器１の上枠体
２１  上枠体２０の上面開口部
２２  上枠体２０の上側側壁部
２２ａ、２２ｂ、２２ｃ、２２ｄ  上側側壁部２２の開口部
２２ｈ  上側側壁部２２の内面
２２ｉ  上側側壁部２２の上下方向の長さ
２３  上枠体２０の段差部
２４  上枠体２０の下側側壁部
２４ｅ  下側側壁部２４の上下方向の長さ
２５  上枠体２０の下面開口部
５０  容器本体
５１  上面開口部
５１ａ、５１ｂ、５１ｃ  分割された部分
５２ａ  側壁部の上端部
５５ａ、５５ｂ、５５ｃ、５５ｄ  切欠
５５ｘ、５５ｙ  係止部
６１、６２  輪ゴム
【図１】
2010064796.tif 000003
【図２】
2010064796.tif 000004
【図３】
2010064796.tif 000005
【図４】
2010064796.tif 000006
【図５】
2010064796.tif 000007
【図６】
2010064796.tif 000008
【図７】
2010064796.tif 000009
【図８】
2010064796.tif 000010
【図９】
2010064796.tif 000011
【図１０】
2010064796.tif 000012
【図１１】
2010064796.tif 000013
【図１２】
2010064796.tif 000014
【図１３】
2010064796.tif 000015
【図１４】
2010064796.tif 000016